(57)【要約】【課題】左右吹出口の空調能力を個別に調整することのできる空気調和機を提供すること。【解決手段】本空気調和機は、縦長の外装ケーシングの左右側方部に、回転軸方向を鉛直方向とする第１クロスフローファン（２４ａ）及び第２クロスフローファン（２４ｂ）を設け、これらファンの吹出側に連通するように縦長の第１室内吹出口及び第２室内吹出口を設ける。また、第１クロスフローファン（２４ａ）及び第２クロスフローファン（２４ｂ）の吸込側に室内熱交換器（２５）の第１熱交換部（２５ａ）及び第２熱交換部（２５ｂ）を配置する。そして、第１クロスフローファン（２４ａ）及び第２クロスフローファン（２４ｂ）を個別に風量制御可能とする制御装置（３）を備える。【選択図】  図１
2019066066.tif 000002
【特許請求の範囲】
【請求項１】
鉛直方向に縦長の外装ケーシング（２１）と、
前記外装ケーシング（２１）内の左右両側部に配置された、回転軸方向を鉛直方向とする第１クロスフローファン（２４ａ）及び第２クロスフローファン（２４ｂ）と、
前記第１クロスフローファン（２４ａ）及び前記第２クロスフローファン（２４ｂ）の吹出側に連通するように、前記外装ケーシング（２１）における左右両側部に設けられた縦長の第１室内吹出口（２３ａ）及び第２室内吹出口（２３ｂ）と、
前記外装ケーシング（２１）内における、前記第１クロスフローファン（２４ａ）及び前記第２クロスフローファン（２４ｂ）の吸込側に配置された第１熱交換部（２５ａ）及び第２熱交換部（２５ｂ）を有する室内熱交換器（２５）と、
前記第１熱交換部（２５ａ）及び前記第２熱交換部（２５ｂ）の吸込側に連通するように前記外装ケーシング（２１）に設けられた室内吸込口（２２）と、
前記第１クロスフローファン（２４ａ）及び前記第２クロスフローファン（２４ｂ）を個別に風量制御可能とする制御装置（３）と、
を備えた空気調和機。
【請求項２】
前記室内熱交換器（２５）は、前記第１熱交換部（２５ａ）及び前記第２熱交換部（２５ｂ）が冷媒回路としては独立の熱交換器として形成され、
前記第１熱交換部（２５ａ）及び前記第２熱交換部（２５ｂ）は、それぞれに設けられている第１膨張弁（２６ａ）及び第２膨張弁（２６ｂ）により冷媒制御されるように並列接続されている
請求項１記載の空気調和機。
【請求項３】
前記第１熱交換部（２５ａ）及び前記第２熱交換部（２５ｂ）は、それぞれ上下に２分割された二つの熱交換器（２５１ａ，２５２ａ，２５１ｂ，２５２ｂ）が上下方向に直列に接続されて形成されるとともに、冷房サイクル時に冷媒が下方の熱交換器（２５２ａ，２５２ｂ）の下部から流入し、上方の熱交換器（２５１ａ，２５１ｂ）の上方から流出するように形成され、
前記第１膨張弁（２６ａ）及び前記第２膨張弁（２６ｂ）は、冷房サイクル時における前記下方の熱交換器（２５２ａ，２５２ｂ）の入口側配管に配置された下方の膨張弁（２６２ａ，２６２ｂ）と、上下の熱交換器間を接続する配管に配置された上方の膨張弁（２６１ａ，２６１ｂ）とにより構成され、
さらに、前記第１クロスフローファン（２４ａ）及び前記第２クロスフローファン（２４ｂ）は、前記第１熱交換部（２５ａ）及び前記第２熱交換部（２５ｂ）に対応するように上下に分割された二つの独立したクロスフローファン（２４１ａ，２４２ａ，２４１ｂ，２４２ｂ）で構成されている
請求項２記載の空気調和機。
【請求項４】
前記第１熱交換部（２５ａ）は前記第１クロスフローファン（２４ａ）の羽根車を取り囲むように湾曲状に形成され、前記第２熱交換部（２５ｂ）は前記第２クロスフローファン（２４ｂ）の羽根車を取り囲むように湾曲状に形成されている
請求項２又は請求項３記載の空気調和機。
【請求項５】
前記室内熱交換器（２５）は、前記第１熱交換部（２５ａ）及び前記第２熱交換部（２５ｂ）が上から見てＶ字型を成すように形成されている
請求項２又は請求項３記載の空気調和機。
【請求項６】
前記室内吸込口（２２）は、前記外装ケーシング（２１）における前面から室内空気を吸い込むように形成されている
請求項１〜請求項５の何れか１項に記載の空気調和機。
【請求項７】
前記外装ケーシング（２１）は、背面に、鉛直方向に延びる、前方へ窪んだ凹部（２１１）を有し、
前記室内吸込口（２２）は、この凹部（２１１）から室内空気を吸い込むように形成されている
請求項１〜請求項６の何れか１項に記載の空気調和機。
【請求項８】
前記外装ケーシング（２１）は、前記室内吸込口（２２）が側面後方に設けられ、背板の内側に前記室内吸込口（２２）から吸い込んだ室内空気を前記第１熱交換部（２５ａ）及び前記第２熱交換部（２５ｂ）に導く空気通路部が形成されている
請求項１〜請求項６の何れか１項に記載の空気調和機。
【請求項９】
前記外装ケーシング（２１）は、鉛直方向の上から見て、室内のコーナ部を形成する壁面（５）に沿う第１面部（６１）及び第２面部（６２）と、前記第１面部（６１）及び前記第２面部（６２）の反コーナ側の先端部（６１ａ，６２ａ）を起点として、前記コーナ部を形成する壁面（５）に対し交差する方向に延びる第３面部（６３）及び第４面部（６４）と、前記第３面部（６３）及び前記第４面部（６４）の先端部を連結する第５面部（６５）とを有し、前記第３面部（６３）、前記第４面部（６４）及び前記第５面部（６５）により前面を形成し、
前記第１クロスフローファン（２４ａ）及び前記第２クロスフローファン（２４ｂ）は、前記第３面部（６３）及び前記第４面部（６４）の内側に配置され、
前記第１室内吹出口（２３ａ）及び前記第２室内吹出口（２３ｂ）は、前記第１クロスフローファン（２４ａ）及び前記第２クロスフローファン（２４ｂ）の吹出側に連通するように、前記第３面部（６３）及び前記第４面部（６４）に形成され、
前記室内吸込口（２２）は、前記第５面部（６５）に形成されている
請求項１〜請求項７の何れか１項に記載の空気調和機。
【請求項１０】
前記外装ケーシング（２１）は、前記外装ケーシング（２１）と前記壁面（５）のコーナ部との間に三角スペース（７１）を形成するように前記第１面部（６１）と前記第２面部（６２）とを連結する第６面部（６６）をさらに有し、
前記室内吸込口（２２）は前記第６面部（６６）に設けられている
請求項９記載の空気調和機。
【発明の詳細な説明】
【技術分野】
【０００１】
本発明は、空気調和機に関する。
【背景技術】
【０００２】
空気調和機は、縦長にすると設置面積を小さく済ますことができるという利便性がある、また、縦長にすると家具としての存在感や高級感があり一部の地域で特に好まれる傾向がある。特許文献１に記載のセパレート型空気調和機の床置き型室内機は、その一例である。
【０００３】
上記従来の空気調和機は、鉛直方向に縦長の外装ケーシングを有し、この外装ケーシングの背面に室内吸込口を有するとともに、室内吸込口の内側に室内熱交換器を備えている。また、従来の空気調和機は、室内循環用ファンとしてクロスフローファンを外装ケーシング内の両側方部に有している。このクロスフローファンは、鉛直方向に縦長の外装ケーシングにマッチするように、回転軸が鉛直方向となるように配置されている。また、従来の空気調和機は、外装ケーシングにおける前面の左右側方部に室内吹出口を有している。
【０００４】
このように構成された従来の空気調和機は、クロスフローファンが回転することにより、背面の室内吸込口から室内空気を吸込み、この室内空気を室内熱交換器で空気調和し、空気調和された空気を左右の室内吹出口から吹き出すように構成されている。
【先行技術文献】
【特許文献】
【０００５】
【特許文献１】韓国公開特許第２０１３−１０５１９０号公報
【発明の概要】
【発明が解決しようとする課題】
【０００６】
ところで、上記従来の空気調和機は、左右のクロスフローファンを個別に運転制御することができなかった。このため、左右吹出口の空調能力を左右個別に調節することができなかった。
【０００７】
本発明は、かかる従来技術における問題点に鑑みなされたものであり、左右吹出口の空調能力を個別に調整することのできる空気調和機を提供することを目的とする。
【課題を解決するための手段】
【０００８】
第１の観点に係る空気調和機は、鉛直方向に縦長の外装ケーシングと、前記外装ケーシング内の左右両側部に配置された、回転軸方向を鉛直方向とする前記第１クロスフローファン及び第２クロスフローファンと、前記第１クロスフローファン及び第２クロスフローファンの吹出側に連通するように、前記外装ケーシングにおける左右両側部に設けられた縦長の第１室内吹出口及び第２室内吹出口と、前記外装ケーシング内における、前記第１クロスフローファン及び前記第２クロスフローファンの吸込側に配置された第１熱交換部及び第２熱交換部を有する室内熱交換器と、前記第１熱交換部及び前記第２熱交換部の吸込側に連通するように前記外装ケーシングに設けられた室内吸込口と、前記第１クロスフローファン及び前記第２クロスフローファンを個別に風量制御可能とする制御装置とを備えたものである。
【０００９】
ここで、「空気調和機」は、セパレート型空気調和機における室内機及び室内に設置される一体型の空気調和機を含むものとする。
前記第１の観点に係る空気調和機によれば、第１クロスフローファン及び第２クロスフローファンを個別に風量制御することにより、左右吹出口の空調能力を個別に制御することができる。
【００１０】
第２の観点に係る空気調和機によれば、前記室内熱交換器は、前記第１熱交換部及び前記第２熱交換部が冷媒回路としては独立の熱交換器として形成され、前記第１熱交換部及び第２熱交換部は、それぞれに設けられている第１膨張弁及び第２膨張弁により冷媒制御されるように並列接続されている。
【００１１】
この空気調和機によれば、左右方向の吹出風量を個別に調整するとこれに付随して第１熱交換部及び第２熱交換部に流通する冷媒量が個別に調節されるので、より効果的に左右吹出口の空調能力を個別に制御することができる。
【００１２】
第３の観点に係る空気調和機によれば、前記第１熱交換部及び前記第２熱交換部は、それぞれ上下に２分割された二つの熱交換器が上下方向に直列に接続されて形成されるとともに、冷房サイクル時に冷媒が下方の熱交換器の下部から流入し、上方の熱交換器の上方から流出するように形成され、前記第１膨張弁及び前記第２膨張弁は、冷房サイクル時における前記下方の熱交換器の入口側配管に配置された下方の膨張弁と、上下の熱交換器間を接続する配管に配置された上方の膨張弁とにより構成され、さらに、前記第１クロスフローファン及び前記第２クロスフローファンは、前記第１熱交換部及び前記第２熱交換部に対応するように上下に分割された二つの独立したクロスフローファンで構成されている。
【００１３】
この空気調和機によれば、第１熱交換部及び第２熱交換部は、下方の熱交換器の入口側配管に配置された膨張弁及び上下の熱交換器間を接続する配管に配置された膨張弁の作用により、上方の熱交換器における蒸発温度を低くし、下方の熱交換器における蒸発温度を高くすることができる。これにより、下方から吹き出す空気の温度を高めとして室内居住者の足元の冷え過ぎを緩和することができる。
【００１４】
第４の観点に係る空気調和機によれば、前記第１熱交換部は前記第１クロスフローファンの羽根車を取り囲むように湾曲状に形成され、前記第２熱交換部は前記第２クロスフローファンの羽根車を取り囲むように湾曲状に形成されている。
【００１５】
ここで湾曲状とは、上から見て室内熱交換器がクロスフローファンの羽根車を取り囲むように曲げられた形状をいい、例えば、略Ｖ字状に曲げられたものや、羽根車と同心円状に曲げられたものなどを含む。
【００１６】
この空気調和機によれば、第１熱交換部及び第２熱交換部とクロスフローファンとの距離が均一化されるので、第１熱交換部及び第２熱交換部のどの部分における風速も均一化される。これにより室内熱交換器の熱交換能力を向上させることができる。
【００１７】
第５の観点に係る空気調和機によれば、前記室内熱交換器は、前記第１熱交換部及び前記第２熱交換部が上から見てＶ字型を成すように形成されている。
この空気調和機によれば、風速部分布を改善しながら室内熱交換器を一体化することができる。
【００１８】
第６の観点に係る空気調和機によれば、前記室内吸込口は、前記外装ケーシングにおける前面から室内空気を吸い込むように形成されている。
この空気調和機によれば、前面吸込みであるので、壁面にぴったりくっつけて据え付けることができる。したがって、空気調和機を壁面に固定する地震対策が容易になる。また、背面に隙間が形成されないので体裁がよい。加えて、背面のデッドスペースを軽減することができる。
【００１９】
第７の観点に係る空気調和機によれば、前記外装ケーシングは、背面に、鉛直方向に延びる、前方へ窪んだ凹部を有し、前記室内吸込口は、この凹部から室内空気を吸い込むように形成されている。
【００２０】
この空気調和機によれば、背面吸込みでありながら、壁面にぴったりくっつけて据え付けることができる。したがって、空気調和機を壁面に固定する地震対策が容易になる。また、背面に隙間が形成されないので体裁がよい。加えて、背面のデッドスペースを軽減することができる。
【００２１】
第８の観点に係る空気調和機によれば、前記外装ケーシングは、前記室内吸込口が側面後方に設けられ、背板の内側に前記室内吸込口から吸い込んだ室内空気を前記第１熱交換部及び前記第２熱交換部に導く空気通路部が形成されている。
【００２２】
この空気調和機によれば、背面吸込みでありながら、壁面にぴったりくっつけて据え付けることができる。したがって、空気調和機を壁面に固定する地震対策が容易になる。また、背面に隙間が形成されないので体裁が良い。
【００２３】
第９の観点に係る空気調和機によれば、前記外装ケーシングは、鉛直方向の上から見て、室内のコーナ部を形成する壁面に沿う第１面部及び第２面部と、前記第１面部及び第２面部の反コーナ側の先端部を起点として、前記コーナ部を形成する壁面に対し交差する方向に延びる第３面部及び第４面部と、前記第３面部及び第４面部の先端部を連結する第５面部とを有し、前記第３面部、第４面部及び前記第５面部により前面を形成し、前記第１クロスフローファン及び前記第２クロスフローファンは、前記第３面部及び前記第４面部の内側に配置され、前記第１室内吹出口及び前記第２室内吹出口は、前記第１クロスフローファン及び前記第２クロスフローファンの吹出側に連通するように前記第３面部及び前記第４面部に形成され、前記室内吸込口は、前記第５面部に形成されている。
【００２４】
この空気調和機によれば、コーナ設置型とすることができるので、設置面積をより節約することができる。
第１０の観点に係る空気調和機によれば、前記外装ケーシングは、前記外装ケーシングと前記壁面のコーナ部との間に三角スペースを形成するように前記第１面部と前記第２面部とを連結する第６面部をさらに有し、前記室内吸込口は前記第６面部に設けられている。
【００２５】
この空気調和機によれば、外装ケーシングと壁面のコーナ部との間に形成される三角スペースを通じ室内空気を吸い込むことができるので、背面吸込み可能なコーナ設置型とすることができる。
【発明の効果】
【００２６】
本空気調和機によれば、左右吹出口の空調能力を個別に調節することができる。
【図面の簡単な説明】
【００２７】
【図１】実施の形態１に係る空気調和機の概略構成図を兼ねた冷媒回路図。
【図２】同空気調和機の正面図。
【図３】同空気調和機の平断面図であって、設置状態における壁面との関係を示した図。
【図４】同空気調和機のＩＶ−ＩＶ断面図。
【図５】同空気調和機における連絡配管、電源等のサービス口の配置を示す図。
【図６】実施の形態２に係る空気調和機の平断面図であって、設置状態における壁面との関係を示した図。
【図７】実施の形態３に係る空気調和機の平断面図であって、設置状態における壁面との関係を示した図。
【図８】実施の形態４に係る空気調和機の平断面図であって、設置状態における壁面との関係を示した図。
【図９】実施の形態５に係る空気調和機の平断面図であって、設置状態における壁面との関係を示した図。
【図１０】同空気調和機の正面図。
【図１１】実施の形態６に係る空気調和機の平断面図であって、設置状態における壁面のコーナ部との関係を示した図。
【図１２】実施の形態７に係る空気調和機の平断面図であって、設置状態における壁面のコーナ部との関係を示した図。
【図１３】実施の形態８に係る空気調和機の平断面図であって、設置状態における壁面のコーナ部との関係を示した図。
【図１４】実施の形態９に係る空気調和機の概略構成図を兼ねた冷媒回路図。
【発明を実施するための形態】
【００２８】
以下、本発明の実施の形態に係る空気調和機について説明する。なお、本発明は、以下に記載する例示に限定されるものではなく、特許請求の範囲によって示され、特許請求の範囲と均等の意味および範囲内での全ての変更が含まれることが意図される。
【００２９】
（実施の形態１）
実施の形態１に係る空気調和機は、図１に示すように、ヒートポンプ式セパレート型空気調和機であって、室外機１に対し、本明細書にいう床置き型空気調和機としての床置き型室内機２が組み合わされたものである。また、本空気調和機は、室外機１及び床置き型室内機２の運転を制御する制御装置３を備えている。
【００３０】
図１に示すように、室外機１は、圧縮機１１、四路切換弁１２、室外熱交換器１３、室外ファン１４を搭載している。室外熱交換器１３は、冷房時上方から冷媒が供給され、下方から冷媒を導出するように構成されている。そして、室外機１と床置き型室内機２とは液側連絡配管１５とガス側連絡配管１６により接続されている。
【００３１】
図２及び図３に示されるように、床置き型室内機２は、鉛直方向に縦長の外装ケーシング２１を備えたものである。床置き型室内機２は、壁面５にぴったりくっつけて据え付けることができるように前面吸込み式に形成されている。なお、図３における実線矢示は、室内空気の流れ方向を示している。
【００３２】
図３に示すように、外装ケーシング２１は、上から見た平断面は左右方向に長い略横長四辺形状であって、前面中央部に左右対称的にＶ字型を成す凹部２１１が鉛直方向に延びるように形成されている。そして、図２及び図３に示されるように、このＶ字型の凹部２１１を形成する左右の傾斜面それぞれに鉛直方向に縦長の室内吸込口が形成されている。室内吸込口は、これを個別に称するときは正面から見て左側のものを第１室内吸込口２２ａと称し、右側のものを第２室内吸込口２２ｂと称する。なお、単に室内吸込口２２と称するときは、第１室内吸込口２２ａ及び第２室内吸込口２２ｂを区別せずに総称するものとする。室内吸込口２２には、吸込みグリルが形成されている。
【００３３】
また、外装ケーシング２１は、前面及び背面の左右角部がそれぞれ略平面状にカットされた形状を有している。そして、前面の左右角部のカットされた平面状部それぞれに鉛直方向に縦長の室内吹出口が形成されている。室内吹出口は、これを個別に称するときは正面から見て左側のものを第１室内吹出口２３ａと称し、右側のものを第２室内吹出口２３ｂと称する。なお、単に室内吹出口２３と称するときは、第１室内吹出口２３ａ及び第２室内吹出口２３ｂを特に区別しないときに用いるものとする。第１室内吹出口２３ａ及び第２室内吹出口２３ｂは、鉛直方向を長手方向とした風向板を備えており、この風向板を調節することにより吹出空気の吹出方向を左右方向に調整可能に形成されている。
【００３４】
また、図３及び図５に示すように、外装ケーシング２１は、背面角部のカットされた平面状部における下方部に、この実施の形態においては右側の下方部に、液側連絡配管１５、ガス側連絡配管１６及び電源ケーブルを引き出すサービス口２１３が形成されている。
【００３５】
また、図１に示すように、床置き型室内機２は、外装ケーシング２１内に室内空気循環用の送風機としてのクロスフローファン２４、室内熱交換器２５、室内熱交換器２５に流通する冷媒を制御する膨張弁２６を備えている。膨張弁２６は電動膨張弁である。
【００３６】
床置き型室内機２は、第１室内吸込口２２ａ及び第２室内吸込口２２ｂから吸い込んだ室内空気を個別に冷却除湿、加熱などの空気調和を行い、空気調和を行った室内空気を左右の第１室内吹出口２３ａ及び第２室内吹出口２３ｂから個別に吹き出すことができるように構成されている。
【００３７】
このために、クロスフローファン２４は、第１室内吹出口２３ａの内側に配置される第１クロスフローファン２４ａと、第２室内吹出口２３ｂの内側に配置される第２クロスフローファン２４ｂとから構成されている。すなわち、第１室内吹出口２３ａ及び第２室内吹出口２３ｂは、第１クロスフローファン２４ａ及び第２クロスフローファン２４ｂの吹出側に直接連通するように配置されている。また、図４に示すように、これら第１クロスフローファン２４ａ及び第２クロスフローファン２４ｂは、第１室内吹出口２３ａ及び第２室内吹出口２３ｂの鉛直方向の長さと同等の回転軸方向長さを有するものであって、回転軸を鉛直方向として組み込まれている。
【００３８】
また、室内熱交換器２５は、第１室内吹出口２３ａ及び第２室内吹出口２３ｂから吸い込んだ室内空気を個別に冷却除湿又は加熱するように第１クロスフローファン２４ａ及び第２クロスフローファン２４ｂの吸込側にそれぞれに設けられている。すなわち、室内熱交換器２５は、第１クロスフローファン２４ａの吸込側に配置される第１熱交換部２５ａと第２クロスフローファン２４ｂの吸込側に配置される第２熱交換部２５ｂとから構成されている。なお、第１熱交換部２５ａ及び第２熱交換部２５ｂは、冷媒回路において並列に接続されている。
【００３９】
図３に示すように、本実施の形態における第１熱交換部２５ａ及び第２熱交換部２５ｂは、上から見た平面視において、第１クロスフローファン２４ａ及び第２クロスフローファン２４ｂの羽根車を個別に取り囲む形状に形成されている。この形状は、図３に図示したものよりさらに円弧に近い形状としてもよい。そして、第１熱交換部２５ａと第２熱交換部２５ｂとの間には、外装ケーシング２１内を左右に分割する仕切板２１２が設けられている。仕切板２１２は、Ｖ字型の凹部２１１の先端部から背面に向かって延びるように形成されている。なお、この仕切板２１２は、第１クロスフローファン２４ａと第２クロスフローファン２４ｂとにより形成される空気流の干渉を防ぐ意味を有するが、必ずしも必要とされるものではなく、省略することも可能である。
【００４０】
膨張弁２６は、図１に示すように、第１熱交換部２５ａの液側連絡配管に接続される第１膨張弁２６ａと、第２熱交換部２５ｂの液側連絡配管に接続される第２膨張弁２６ｂとから構成されている。第１膨張弁２６ａ及び第２膨張弁２６ｂは、従来周知の一般的な冷媒制御を行うものであって、冷房運転時は第１熱交換部２５ａ及び第２熱交換部２５ｂの出口側の冷媒の過熱度が一定になるように開度調整し、暖房運転時は第１熱交換部２５ａ及び第２熱交換部２５ｂの出口側の冷媒の過冷却度が一定となるように開度調整する。
【００４１】
次に、本空気調和機の動作について、図１の冷媒回路図を参照して説明する。
本空気調和機は、リモートコントローラ等の操作部(図示せず）からの操作指令に基づき制御装置３が作動し、制御装置３により圧縮機１１、四路切換弁１２、室外ファン１４、クロスフローファン２４、膨張弁２６等が制御されて冷房運転及び暖房運転が行われる。
【００４２】
冷房運転時は、四路切換弁１２が実線の接続状態に切り替えられ、冷媒が実線矢示のように流通する。すなわち、圧縮機１１から吐出された冷媒は、四路切換弁１２から室外熱交換器１３へ流れ、凝縮液化して液側連絡配管１５を経て床置き型室内機２に入る。床置き型室内機２に入った冷媒は、第１膨張弁２６ａから第１熱交換部２５ａへ流れる回路と第２膨張弁２６ｂから第２熱交換部２５ｂへ流れる回路とに分岐され並列に流れる。冷媒は、第１熱交換部２５ａ及び第２熱交換部２５ｂで蒸発気化し、その後合流し、ガス側連絡配管１６を経て室外機１へ戻る。室外機１に戻った冷媒は、四路切換弁１２から圧縮機１１へ戻る。
【００４３】
このように構成された冷媒回路により室外熱交換器１３が凝縮器として作用し、第１熱交換部２５ａ及び第２熱交換部２５ｂが蒸発器として作用するので、室内空気は、第１熱交換部２５ａ及び第２熱交換部２５ｂで冷却、除湿される。そして、冷却、除湿された室内空気は、第１室内吹出口２３ａ及び第２室内吹出口２３ｂにおいて風向板により風向調整され、左右方向に冷風として吹き出される。
【００４４】
本空気調和機は、この冷房運転時において操作部（不図示）からの操作指令により第１クロスフローファン２４ａ及び第２クロスフローファン２４ｂの回転数を個別に制御して、第１室内吹出口２３ａ及び第２室内吹出口２３ｂから吹き出す風量を個別に制御することができる。また、本床置き型室内機２は、このように吹出風量が個別に制御されると、第１膨張弁２６ａ及び第２膨張弁２６ｂが第１熱交換部２５ａ出口側及び第２熱交換部２５ｂ出口側の冷媒をそれぞれ一定の過熱度となるように制御しているので、第１熱交換部２５ａ及び第２熱交換部２５ｂに分岐される冷媒量が自動的に制御される。例えば、クロスフローファン２４の回転数を増大すると、室内熱交換器２５における熱交換量が増大し、冷媒量を増大させる方向に作用する。したがって、第１クロスフローファン２４ａ及び第２クロスフローファン２４ｂの回転数を個別に制御して第１室内吹出口２３ａ及び第２室内吹出口２３ｂから吹き出す風量を個別に制御することにより、左右吹出口の冷房能力を個別に制御することができる。
【００４５】
次に、暖房運転時は、四路切換弁１２が破線の接続状態に切り替えられ、冷媒が破線矢示のように逆サイクルに流される。冷媒の流れ順序は、冷房運転時の逆の流れとなる。すなわち、圧縮機１１から吐出された冷媒は、四路切換弁１２からガス側連絡配管１６を経て床置き型室内機２に入る。床置き型室内機２に入った冷媒は、第１熱交換部２５ａから第１膨張弁２６ａへ流れる回路と第２熱交換部２５ｂから第２膨張弁２６ｂへ流れる回路とに分岐され並列に流れて凝縮液化し、その後合流し、液側連絡配管１５を介して室外機１へ戻る。室外機１に戻った冷媒は、室外熱交換器１３で蒸発気化し、四路切換弁１２から圧縮機１１へ戻る。
【００４６】
このように構成された冷媒回路により室外熱交換器１３が蒸発器として作用し、第１熱交換部２５ａ及び第２熱交換部２５ｂが凝縮器として作用するので、室内空気は、第１熱交換部２５ａ及び第２熱交換部２５ｂで加熱される。そして、加熱された室内空気は、第１室内吹出口２３ａ及び第２室内吹出口２３ｂにおいて風向板により風向制御され、左右方向に温風として吹き出される。
【００４７】
本床置き型室内機２は、この暖房運転時においても、冷房運転時と同様に操作部（不図示）からの操作指令により第１クロスフローファン２４ａ及び第２クロスフローファン２４ｂの回転数を個別に制御して、第１室内吹出口２３ａ及び第２室内吹出口２３ｂから吹き出す風量を個別に制御することができる。また、本床置き型室内機２は、このように吹出風量が個別に制御されると、第１膨張弁２６ａ及び第２膨張弁２６ｂが第１熱交換部２５ａ出口側及び第２熱交換部２５ｂ出口側の冷媒をそれぞれ一定の過冷却度となるように制御しているので、第１熱交換部２５ａ及び第２熱交換部２５ｂに分岐される冷媒量が自動的に制御される。例えば、クロスフローファン２４の回転数を増大すると室内熱交換器２５における熱交換量が増大し、冷媒量を増大させる方向に作用する。したがって、第１クロスフローファン２４ａ及び第２クロスフローファン２４ｂの回転数を個別に制御して第１室内吹出口２３ａ及び第２室内吹出口２３ｂから吹き出す風量を個別に制御することにより、左右吹出口の暖房能力を個別に制御することができる。
【００４８】
また、上記冷房運転時及び暖房運転時における室内空気の流通路において、第１熱交換部２５ａ及び第２熱交換部２５ｂが第１クロスフローファン２４ａ及び第２クロスフローファン２４ｂの羽根車を取り囲む形状に形成されているので、室内熱交換器２５とクロスフローファン２４の羽根車との距離が均一化される。これにより、室内熱交換器２５が平面的な場合に比較して、第１熱交換部２５ａ及び第２熱交換部２５ｂのどの部分における風速も均一化され、第１熱交換部２５ａ及び第２熱交換部２５ｂの熱交換能力が向上される。
【００４９】
（効果）
本実施の形態１に係る床置き型室内機２は、以上のように構成されているので、次のような効果を奏することができる。
【００５０】
（１）第１クロスフローファン２４ａ及び第２クロスフローファン２４ｂを個別に風量制御することにより、左右吹出口の空調能力を個別に制御することができる。
（２）左右方向の吹出風量を個別に調整すると、これに付随して第１熱交換部２５ａ及び第２熱交換部２５ｂに流通する冷媒量が個別に調節されるので、より効果的に左右吹出口の空調能力を個別に制御することができる。
【００５１】
（３）室内吸込口２２が外装ケーシング２１の前面に設けられて、前面吸込みとなるので、壁面５にぴったりくっつけて据え付けることができる左右吹出式の床置き型室内機２となる。このため、本床置き型室内機２は、従来のものと比較すると、壁面５に固定する地震対策が容易になる、加えて、背面に隙間が形成されないので体裁がよい。また、背面のデッドスペースを軽減することができる。
【００５２】
（４）第１熱交換部２５ａ及び第２熱交換部２５ｂがそれぞれ第１クロスフローファン２４ａ及び第２クロスフローファン２４ｂの羽根車を取り囲むように湾曲状に形成されているので、第１熱交換部２５ａ及び第２熱交換部２５ｂの風速分布が均一化され、熱交換能力が向上する。
【００５３】
（実施の形態２）
次に、実施の形態２について図６を参照しながら説明する。図６は、実施の形態１における図３に相当する。
なお、実施の形態２の説明を簡略化するために、実施の形態１に対応する部分に実施の形態１と同一の符号を付し、その説明を省略又は簡略化する。
【００５４】
実施の形態２に係る床置き型室内機２は、実施の形態１において室内熱交換器２５を変更したものである。
実施の形態１では、室内熱交換器２５が左右に配置された２個の湾曲状の熱交換器、すなわち、第１熱交換部２５ａ及び第２熱交換部２５ｂにより構成されていた。これに対し、実施の形態２においては、室内熱交換器２５を上から見て構造的に略Ｖ字型を成す一体型とし、このＶ字型の左側部分を第１熱交換部２５ａ、右側部分を第２熱交換部２５ｂとしている。そして、第１熱交換部２５ａを第１室内吸込口２２ａに対し略並行に配置し、第２熱交換部２５ｂを第２室内吸込口２２ｂに対し略並行に配置したものである。なお、第１熱交換部２５ａと第２熱交換部２５ｂとは、冷媒回路上は実施の形態１と同様に独立の熱交換器を成すように形成されている。
【００５５】
また、この変更に伴い仕切板２１２が変更されている。仕切板２１２は、Ｖ字型の凹部２１１の先端部から背面に向かって延びるが、途中で室内熱交換器２５と交差するため、室内熱交換器２５のＶ字型の折曲部を挟んで前後に２分割されている。
【００５６】
実施の形態２に係る床置き型室内機２は、このように構成されているので、前記実施の形態１に係る（１）〜（３）の効果に加え、次の効果を奏することができる。
（５）第１熱交換部２５ａ及び第２熱交換部２５ｂが上から見てＶ字型を成すように形成されているので、風量分布を改善しながら一体化を実現している。
【００５７】
(実施の形態３）
次に、実施の形態３について図７を参照しながら説明する。図７は、実施の形態１における図３に相当する。
なお、実施の形態３の説明を簡略化するために、実施の形態１に対応する部分に実施の形態１と同一の符号を付し、その説明を省略又は簡略化する。
【００５８】
実施の形態３に係る床置き型室内機２は、実施の形態１において前面吸込みを背面吸込み型に変更したものである。
このために実施の形態３に係る床置き型室内機２は、実施の形態１におけるＶ字型を成す凹部２１１を外装ケーシング２１の背面側に形成するとともに、凹部２１１を形成する左右の傾斜面に第１室内吸込口２２ａ及び第２室内吸込口２２ｂを形成している。凹部２１１、第１室内吸込口２２ａ及び第２室内吸込口２２ｂは、実施の形態１場合と同様の形状及び大きさに形成されている。
【００５９】
また、この変更に伴い、仕切板２１２がＶ字型の凹部２１１の先端部から前面に向かって延びるように形成されている。したがって、この実施の形態３の場合には、室内空気は背面に設けられたＶ字型の凹部２１１を介し、第１室内吸込口２２ａ及び第２室内吸込口２２ｂから機内に吸い込まれる。
【００６０】
実施の形態３に係る床置き型室内機２は、このように構成されているので、前記実施の形態１に係る（１）、（２）、（４）の効果に加え、次の効果を奏することができる。
（６）背面吸込みでありながら、壁面５にぴったりくっつけて据え付けることができる左右吹出式の床置き型室内機２となっている。このため、本床置き型室内機２は、従来のものと比較すると、壁面５に固定する地震対策が容易になる、また、背面に隙間が形成されないので体裁がよい。加えて、背面のデッドスペースを軽減することができる。
【００６１】
(実施の形態４）
次に、実施の形態４について図８を参照しながら説明する。図８は、実施の形態３に係る図７に相当する。
なお、実施の形態４の説明を簡略化するために、実施の形態３に対応する部分に実施の形態３と同一の符号を付し、その説明を省略又は簡略化する。
【００６２】
実施の形態４に係る床置き型室内機２は、実施の形態３において室内熱交換器２５を変更したものである。
実施の形態３では、室内熱交換器２５が左右に配置された２個の湾曲状の熱交換器、すなわち、第１熱交換部２５ａ及び第２熱交換部２５ｂにより構成されていた。これに対し、実施の形態４においては、室内熱交換器２５を上から見て構造的に略Ｖ字型を成す一体型とし、このＶ字型の左側部分を第１熱交換部２５ａ、右側部分を第２熱交換部２５ｂとしている。そして、第１熱交換部２５ａを第１室内吸込口２２ａに対し略並行に配置し、第２熱交換部２５ｂを第２室内吸込口２２ｂに対し略並行に配置したものである。なお、第１熱交換部２５ａと第２熱交換部２５ｂとは、冷媒回路上は実施の形態１及び実施の形態３と同様に独立の熱交換器を成すように形成されている。
【００６３】
また、この変更に伴い仕切板２１２が変更されている。仕切板２１２は、Ｖ字型の凹部２１１の先端部から前面に向かって延びるが、途中で室内熱交換器２５と交差するため、室内熱交換器２５のＶ字型の折曲部を挟んで前後に２分割されている。
【００６４】
実施の形態４に係る床置き型室内機２は、このように構成されているので実施の形態１において、実施の形態２に関係する変更と実施の形態３に関係する変更の双方を加えたものに相当する。したがって、この実施の形態４に係る床置き型室内機２は、前記（１）、（２）、（５）及び（６）の効果を奏することができる。
【００６５】
(実施の形態５）
次に、実施の形態５について図９及び図１０を参照しながら説明する。図９は、実施の形態４に係る図８に相当する平断面図であり、図１０は、実施の形態１に係る図２に相当する正面図である。なお、実施の形態５の説明を簡略化するために、実施の形態４に対応する部分に実施の形態４と同一の符号を付し、その説明を省略又は簡略化する。
【００６６】
実施の形態５に係る床置き型室内機２は、実施の形態４において室内空気の吸い込み経路を変更したものである。
実施の形態４では、背面にＶ字型の凹部２１１を形成し、このＶ字型の凹部２１１と背面側の壁面５との間に形成される上方の開口部を経由して、Ｖ字型の凹部２１１を形成する傾斜面に形成された第１室内吸込口２２ａ及び第２室内吸込口２２ｂから室内空気を機内に吸い込んでいた。この場合、Ｖ字型の凹部２１１と背面側の壁面５との間に形成される上方の開口部の面積を大きくすることが難しいという問題を抱えている。
【００６７】
そこで、実施の形態５では、この問題に応えるように、Ｖ字型の凹部２１１より背面側に位置する部分に、左右方向の中央部でＶ字型の凹部２１１の凹部に連通する空気通路部２７を形成している。空気通路部２７は、外装ケーシング２１の背面の内側全体に拡がるように形成されたものであって、空気通路部２７の左右の側面に室内空気を取り込む第１取込口２７ａ及び第２取込口２７ｂが形成されている。また、空気通路部２７の下方部が外装ケーシング２１の底部に形成された連通路２８を介して前面から室内空気を取り込むように、前面下方に形成された第３取込口２７ｃ（図１０参照）が形成されている。図９における実線矢示及び破線矢示は空気の流れを示す。なお、Ｖ字型の凹部２１１と背面側の壁面５との間に形成される上方の開口部は、外装ケーシング２１の天面を形成する外板により覆うように形成してもよいし、実施の形態４の場合と同様に上方に開口したままとしてもよい。
【００６８】
実施の形態５に係る床置き型室内機２は、このように構成されているので実施の形態４と同様の効果、すなわち、前記（１）、（２）、（５）及び（６）の効果を奏することができ、加えて次の効果を奏することができる。
【００６９】
（７）外装ケーシング２１の左右側面の背面側に形成された第１取込口２７ａ及び第２取込口２７ｂ、さらには、外装ケーシング２１の前面下方に形成された第３取込口２７ｃと連通する空気通路部２７が、外装ケーシング２１の背面全幅にわたって形成されたので、室内の左右方向からの室内空気の吸い込み流れが良好になる。これにより、実施の形態５に係る床置き型室内機２は、第１室内吸込口２２ａ及び第２室内吸込口２２ｂから室内空気を十分に機内の取り込むことができるとともに、室内空気を左右方向側からも機内に取り込むことができるので、左右吹出側の室内循環気流が良好になり、左右吹出口の空調をより個別に制御し易くなる。
【００７０】
(実施の形態６）
次に、実施の形態６について図１１を参照しながら説明する。図１１は、実施の形態１に係る図３に相当する。
なお、実施の形態６の説明を簡略化するために、実施の形態１に対応する部分に実施の形態１と同一の符号を付し、その説明を省略又は簡略化する。
【００７１】
実施の形態６に係る床置き型室内機２は、平面状の壁面５に密接して設置する実施の形態１に係る床置き型室内機２を、壁面５のコーナ部に密接して設置するタイプに変更したものである。
【００７２】
実施の形態１に係る床置き型室内機２は、平面状の壁面５に密接して設置するタイプに形成されたものであって、上から見た平断面が横長の略四辺形に形成されていた。これに対し、実施の形態６に係る床置き型室内機２は、上から見た平断面が壁面５のコーナ部に密接して設置され、かつ、左右方向から室内空気を吸い込むように形成されたものである。
【００７３】
このために、外装ケーシング２１は、鉛直方向の上から見て、室内のコーナ部を形成する壁面５に沿う第１面部６１及び第２面部６２と、第１面部６１及び第２面部６２の反コーナ側の先端部６１ａ、６２ａを起点として、コーナ部を形成する壁面５に対し交差する方向に延びる第３面部６３及び第４面部６４を形成している。この実施の形態においては、第３面部６３及び第４面部６４は、コーナ部を形成する壁面５に対し直角に形成されている。また、外装ケーシング２１は、第３面部６３及び第４面部６４の先端部を連結する第５面部６５を有し、室内吹出口２３を形成する第１室内吹出口２３ａと第２室内吹出口２３ｂとが第３面部６３と第４面部６４とに形成されている。また、室内吸込口２２が第５面部６５の水平方向中央部に形成されている。本床置き型室内機２においては、第１面部６１及び第２面部６２が実施の形態１における背面に相当し、第３面部６３、第４面部６４、及び第５面部６５が本実施の形態１における前面に相当する。
【００７４】
また、この実施の形態においては、室内吸込口２２は、１個からなり、二つに分割されていない。また、外装ケーシング２１内には、外装ケーシング２１内を左右方向に２分割する仕切板が設けられていない。したがって、第１クロスフローファン２４ａ及び第２クロスフローファン２４ｂの駆動により室内吸込口２２から吸入した室内空気は、第１熱交換部２５ａを経由して第１室内吹出口２３ａから室内へ吹き出す空気流と、第２熱交換部２５ｂを経由して第２室内吹出口２３ｂから室内へ吹き出す空気流とに分岐した室内空気循環気流となる。
【００７５】
実施の形態６に係る床置き型室内機２は、このように構成されているので、実施の形態１に係る（１）〜（４）の効果を奏し、加えて次の効果を奏する。
（８）コーナ設置型とすることができるので、設置面積をより節約することができる。
【００７６】
(実施の形態７）
次に、実施の形態７について図１２を参照しながら説明する。図１２は、実施の形態６に係る図１１に相当する。
なお、実施の形態７の説明を簡略化するために、実施の形態６に対応する部分に実施の形態６と同一の符号を付し、その説明を省略又は簡略化する。
【００７７】
実施の形態７に係る床置き型室内機２は、実施の形態６において前面吸込みを背面吸込み型に変更したものである。
このために実施の形態７に係る床置き型室内機２は、実施の形態６における外装ケーシング２１の壁面５のコーナ部に対向する部分をカットしている。すなわち、実施の形態７に係る床置き型室内機２は、壁面５のコーナ部側において、外装ケーシング２１と壁面５のコーナ部との間に三角スペース７１を形成するように第１面部６１と第２面部６２とを連結する第６面部６６をさらに設けている。そして、この第６面部６６に室内吸込口２２が設けられている。
【００７８】
実施の形態７に係る床置き型室内機２は、このように構成されているので実施の形態１及び実施の形態６に係る（１）、（２）、（４）及び（８）の効果を奏することができ、加えて次の効果を奏することができる。
【００７９】
（９）外装ケーシング２１と壁面５のコーナ部との間に形成される三角スペース７１を通じ室内空気を吸い込むことができるので、背面吸込み可能なコーナ設置型とすることができる。
【００８０】
(実施の形態８）
次に、実施の形態８について図１３を参照しながら説明する。図１３は、実施の形態６に係る図１１に相当する。
なお、実施の形態８の説明を簡略化するために、実施の形態６に対応する部分に実施の形態６と同一の符号を付し、その説明を省略又は簡略化する。
【００８１】
実施の形態６では、室内熱交換器２５が左右に配置された２個の湾曲状の熱交換器、すなわち、第１熱交換部２５ａ及び第２熱交換部２５ｂにより構成されていた。これに対し、実施の形態８においては、室内熱交換器２５を上から見て構造的に略Ｖ字型を成す一体型とし、このＶ字型の前面から見て左側部分を第１熱交換部２５ａ、右側部分を第２熱交換部２５ｂとしている。また、略Ｖ字型を室内熱交換器２５の開いた部分が室内吸込口２２に面するように構成されている。したがって、この実施の形態においても、室内吸込口２２は、第１熱交換部２５ａ側の空気流と第２熱交換部２５ｂ側の空気流とにおいて共用される関係にある。なお、第１熱交換部２５ａと第２熱交換部２５ｂとは、冷媒回路上は実施の形態１及び実施の形態６と同様に独立の熱交換器を成すように形成されている。
【００８２】
実施の形態８に係る床置き型室内機２は、このように第１熱交換部２５ａ及び第２熱交換部２５ｂを上から見てＶ字型を成すよう形成されたものであり、この点において前記実施の形態２と共通し、実施の形態２に係る前記（５）と同様の効果をする。また、実施の形態８に係る床置き型室内機２は、壁面５のコーナ部設置型であるので、実施の形態６に係る前記（８）と同様の効果を奏する。
【００８３】
(実施の形態９）
次に、実施の形態９について図１４を参照しながら説明する。図１４は、実施の形態１に係る図１に相当するものである。
なお、実施の形態１の説明を簡略化するために、実施の形態１に対応する部分に実施の形態１と同一の符号を付し、その説明を省略又は簡略化する。
【００８４】
図１４に示すように、実施の形態９に係る床置き型室内機２は、実施の形態１において、第１クロスフローファン２４ａ、第２クロスフローファン２４ｂ、第１熱交換部２５ａ及び第２熱交換部２５ｂをそれぞれ上下に分離し、それぞれ独立した形態としている。したがって、第１クロスフローファン２４ａは、上方のクロスフローファン２４１ａ及び下方のクロスフローファン２４２ａにより構成され、第２クロスフローファン２４ｂは、上方のクロスフローファン２４１ｂ及び下方のクロスフローファン２４２ｂにより構成される。また、第１熱交換部２５ａは、上方の熱交換器２５１ａ及び下方の熱交換器２５２ａにより構成され、第２熱交換部２５ｂは上方の熱交換器２５１ｂ及び下方の熱交換器２５２ｂにより構成される。また、この構成と共に、第１膨張弁２６ａ及び第２膨張弁２６ｂもそれぞれ２個の膨張弁から構成されるようにしている。すなわち、第１膨張弁２６ａは、冷房運転時における下方の熱交換器２５２ａの入口側配管に配置される下方の膨張弁２６２ａと、上方の熱交換器２５１ａと下方の熱交換器２５２ａとを接続する配管に配置される上方の膨張弁２６１ａとから構成される。同様に、第２膨張弁２６ｂは、冷房運転時における下方の熱交換器２５２ｂの入口側配管に配置される下方の膨張弁２６２ｂと、上方の熱交換器２５１ｂと下方の熱交換器２５２ｂとを接続する配管に配置される上方の膨張弁２６１ｂとから構成される。
【００８５】
そして、床置き型室内機２は、下方の膨張弁２６２ａ及び上方の膨張弁２６１ａの開度調整と、下方の膨張弁２６２ｂ及び上方の膨張弁２６１ｂの開度調整とにより、上下の熱交換器の温度を若干異ならせるようにしている。すなわち、冷房運転時において下方の熱交換器２５２ａ、２５２ｂの蒸発温度を、上方の熱交換器２５１ａ、２５１ｂの蒸発温度よりやや高くしている。そして、こうすることにより第１室内吹出口２３ａ及び第２室内吹出口２３ｂの下方から吹き出す冷気の温度を高めとしている。
【００８６】
なお、暖房運転時は、上方の膨張弁２６１ａ及び上方の膨張弁２６１ｂを全開とし、下方の膨張弁２６２ａ及び下方の膨張弁２６２ｂのみにより第１熱交換部２５ａ及び第２熱交換部２５ｂの冷媒制御を行っている。
【００８７】
実施の形態９に係る床置き型室内機２は、このように構成されているので実施の形態１に係る（１）〜（４）の効果に加え、次の効果を奏することができる。
（１０）第１熱交換部２５ａ及び第２熱交換部２５ｂにおける上方の熱交換器２５１ａ、２５１ｂにおける蒸発温度を低くし、下方の熱交換器２５２ａ、２５２ｂにおける蒸発温度を高くし、これにより、下方から吹き出す空気の温度を高めとして室内居住者の足元の冷え過ぎを緩和することができる。
【００８８】
(変形例）
上記の各実施の形態に関する説明は、本発明に従う床置き型室内機２が取り得る形態の例示であり、その形態に制限されるものではない。なお、相互に矛盾しない少なくとも二つの変形例を組み合わせた形態としてもよい。
【００８９】
（１）各実施の形態に係る空気調和機は、セパレート型空気調和機における床置き型室内機２を例にとり説明したが、これに限定されるものではない。例えば、空気調和機は、圧縮機、室外熱交換器などを組み込んだ一体型の空気調和機としてもよい。また、空気調和機は、縦長の壁掛け型空気調和機であってもよい。
【００９０】
（２）各実施の形態に係る空気調和機は、ヒートポンプ式冷暖房機として説明したが、冷媒回路を可逆サイクル式としない冷房専用機としてもよい。
【００９１】
（３）実施の形態１〜実施の形態８において、膨張弁２６は、第１熱交換部２５ａ及び第２熱交換部２５ｂを並列に接続する分岐回路に接続する第１膨張弁２６ａ及び第２膨張弁２６ｂにより構成されていた。しかし、膨張弁２６の設ける位置を分岐する前の主回路とし、これにより膨張弁２６を１個により構成する。そして、この一つの膨張弁２６により第１熱交換部２５ａ及び第２熱交換部２５ｂを出て合流した後の冷媒の過熱度或いは過冷却度を制御するようにすることもできる。
【００９２】
（４）実施の形態２、実施の形態４、実施の形態５、及び実施の形態８において、Ｖ字型の室内熱交換器２５を冷媒回路的にも一つの熱交換器となるように形成することもできる。この場合は、室内熱交換器２５が１個の熱交換器として作用することになるので、膨張弁２６も勿論１個とすることになる。
【００９３】
（５）実施の形態１〜実施の形態５に係る床置き型室内機２は、仕切板２１２を設けていたが、この仕切板２１２を削除しても室内空気を左右方向に循環させることができる。
【００９４】
（６）実施の形態１〜実施の形態５に係る床置き型室内機２は、前面角部を平面状にカットし、この平面状部に第１室内吹出口２３ａ、第２室内吹出口２３ｂを設けているが、この角部を丸みのある曲面としこの曲面に第１室内吹出口２３ａ、第２室内吹出口２３ｂを設けるようにしてもよい。
【００９５】
（７）実施の形態１及び実施の形態２に係る床置き型室内機２は、前面にＶ字型の凹部２１１を設け、このＶ字型の凹部２１１を形成する左右の傾斜面に第１室内吹出口２３ａ、第２室内吹出口２３ｂを設けていたが、この前面を、凹部２１１を形成しない平坦な平面とすることもできる。すなわち、この場合には、実施の形態６或いは実施の形態８の場合と同様に、平坦にした前面中央に室内吸込口２２を設ければよい。また、この場合、室内吸込口２２は、２個に分けずに１個とし、左右の空気循環流を共用する吸込口とすることができる。
【００９６】
（８）実施の形態５においては、第１室内吸込口２２ａ及び第２室内吸込口２２ｂを設けていたＶ字型の凹部２１１の部分を平面状にし、この平板状部に室内吸込口２２を設けるようにしてもよい。この場合の室内吸込口２２を１個とし、左右の空気循環流を共用する吸込口とすることもできる。
【符号の説明】
【００９７】
１  室外機
２  床置き型室内機
３  制御装置
５  壁面
１１  圧縮機
１２  四路切換弁
１３  室外熱交換器
１４  室外ファン
１５  液側連絡配管
１６  ガス側連絡配管
２１  外装ケーシング
２２  室内吸込口
２２ａ  第１室内吸込口
２２ｂ  第２室内吸込口
２３  室内吹出口
２３ａ  第１室内吹出口
２３ｂ  第２室内吹出口
２４  クロスフローファン
２４ａ  第１クロスフローファン
２４ｂ  第２クロスフローファン
２５  室内熱交換器
２５ａ  第１熱交換部
２５ｂ  第２熱交換部
２６  膨張弁
２６ａ  第１膨張弁
２６ｂ  第２膨張弁
２７  空気通路部
２７ａ  第１取込口
２７ｂ  第２取込口
２７ｃ  第３取込口
２８  連通路
６１  第１面部
６１ａ  先端部
６２  第２面部
６２ａ  先端部
６３  第３面部
６４  第４面部
６５  第５面部
６６  第６面部
７１  三角スペース
２１１  凹部
２１２  仕切板
２１３  サービス口
２４１ａ  上方のクロスフローファン
２４２ａ  下方のクロスフローファン
２４１ｂ  上方のクロスフローファン
２４２ｂ  下方のクロスフローファン
２５１ａ  上方の熱交換器
２５２ａ  下方の熱交換器
２５１ｂ  上方の熱交換器
２５２ｂ  下方の熱交換器
２６１ｂ  上方の膨張弁
２６２ｂ  下方の膨張弁
２６１ａ  上方の膨張弁
２６２ａ  下方の膨張弁
【図１】
2019066066.tif 000003
【図２】
2019066066.tif 000004
【図３】
2019066066.tif 000005
【図４】
2019066066.tif 000006
【図５】
2019066066.tif 000007
【図６】
2019066066.tif 000008
【図７】
2019066066.tif 000009
【図８】
2019066066.tif 000010
【図９】
2019066066.tif 000011
【図１０】
2019066066.tif 000012
【図１１】
2019066066.tif 000013
【図１２】
2019066066.tif 000014
【図１３】
2019066066.tif 000015
【図１４】
2019066066.tif 000016